(57)【要約】【課題】開閉部を有する収納装置を備えながら高い安定性を維持できる間仕切収納装置を提供する。【解決手段】建物内の部屋や空間を複数の区画されたエリアに分割する仕切壁２，３，３’を有し、仕切壁２，３，３’の後端側には仕切壁２，３，３’と直交する方向に延設される収納装置６，６’が配置されて上面視略Ｔ字状を成す間仕切収納装置１であって、仕切壁２，３，３’に沿って設けられたテーブル部４，４’は、前部分１０の幅寸法が前部分９の幅寸法より小さく形成されており、収納装置６，６’は、仕切壁２，３，３’の延設方向に向けて開閉される開閉部２３ａ，２３ａ’を備えている。【選択図】図１
2018122051.tif 000002
【特許請求の範囲】
【請求項１】
建物内の部屋や空間を複数の区画されたエリアに分割する仕切壁を有し、前記仕切壁の後端側には該仕切壁と直交する方向に延設される収納装置が配置されて上面視略Ｔ字状を成す間仕切収納装置であって、
前記仕切壁に沿って設けられたテーブル部は、前部分の幅寸法が後部分の幅寸法より小さく形成されており、
前記収納装置は、前記仕切壁の延設方向に向けて開閉される開閉部を備えていることを特徴とする間仕切収納装置。
【請求項２】
前記開閉部は、前記仕切壁の延設方向に向けて引き出される引出部であることを特徴とする請求項１に記載の間仕切収納装置。
【請求項３】
前記間仕切収納装置は、前記区画されたエリアにおける各テーブル部を構成する板部材の後端部を支持する幅方向に延びる後方支持脚部と、前記板部材の前端部を支持する前記後方支持脚部より小さい幅寸法で幅方向に延びる前方支持脚部と、前記後方支持脚部と前記前方支持脚部とを連結する縦連結杆部と、を備えるフレーム部材を有し、前記収納装置は前記フレーム部材に固定されていることを特徴とする請求項１または２に記載の間仕切収納装置。
【請求項４】
前記仕切壁は、該仕切壁の下方に配置された板部材の上方の空間を左右に区画し、左右の区画に前記テーブル部をそれぞれ形成していることを特徴とする請求項１ないし３のいずれかに記載の間仕切収納装置。
【請求項５】
前記テーブル部は、前記収納装置の前記引出部が引き出された状態における上方に位置する部分が開放されていることを特徴とする請求項２ないし４のいずれかに記載の間仕切収納装置。
【請求項６】
前記テーブル部の上方には上部収納装置が設置され、前記テーブル部は、前記収納装置の前記引出部が引き出された状態における上方に位置する部分に切欠部を備えていることを特徴とする請求項２ないし５のいずれかに記載の間仕切収納装置。
【請求項７】
前記切欠部は、緩やかな曲率の湾曲形状となっていることを特徴とする請求項６に記載の間仕切収納装置。
【発明の詳細な説明】
【技術分野】
【０００１】
本発明は、建物内の部屋や空間を仕切る間仕切収納装置に関する。
【背景技術】
【０００２】
既存の病院やクリニックにおいては、部屋の床面に間仕切装置を立設して複数の区画されたエリアに仕切ることが行われている。その一例としては、例えば特許文献１のように、収納装置や作業用のテーブルを備えた間仕切収納装置がある。この間仕切収納装置は、床面に立設されて空間を左右に区画する仕切壁を備え、仕切壁の延設方向の後端側には床面に載置された収納装置が固定され、前端側には床面に立設されたエンドパネルが固定されており、仕切壁の延設方向にはテーブルを構成する板部材が設けられている。また収納装置は部屋の壁に沿って幅方向に延設されており、この収納装置と仕切壁とは直交する方向に配設されて間仕切装置が上面視略Ｔ字となっている。
【０００３】
また、間仕切収納装置により区画されたエリア内には、それぞれベッドが配置されており、間仕切収納装置の区画されたエリアの入口側すなわち仕切壁の延設方向の前端側の幅寸法が小さく形成され、ベッドと間仕切収納装置との間に移動スペースが確保されているため、ベッドの横を患者や医療従事者等が移動することができるようになっている。
【先行技術文献】
【特許文献】
【０００４】
【特許文献１】特許第４５７５１３８号公報（第５頁、第１図）
【発明の概要】
【発明が解決しようとする課題】
【０００５】
特許文献１の間仕切収納装置にあっては、収納装置の引出部が仕切壁の延設方向と直交する方向に引出され、ベッドと間仕切収納装置との間の移動スペースに張り出す構造であることから、結果的に引出部における引出し代が小さくなってしまうという問題に加え、移動スペースに張り出された引出部は仕切壁からの距離が長くなるためが間仕切収納装置の左右方向の重心バランスを崩してしまう虞があった。
【０００６】
本発明は、このような課題に着目してなされたもので、開閉部を有する収納装置を備えながら高い安定性を維持できる間仕切収納装置を提供することを目的とする。
【課題を解決するための手段】
【０００７】
前記課題を解決するために、本発明の間仕切収納装置は、
建物内の部屋や空間を複数の区画されたエリアに分割する仕切壁を有し、前記仕切壁の後端側には該仕切壁と直交する方向に延設される収納装置が配置されて上面視略Ｔ字状を成す間仕切収納装置であって、
前記仕切壁に沿って設けられたテーブル部は、前部分の幅寸法が後部分の幅寸法より小さく形成されており、
前記収納装置は、前記仕切壁の延設方向に向けて開閉される開閉部を備えていることを特徴としている。
この特徴によれば、テーブル部の前部分の幅寸法が後部分の幅寸法より小さく形成されていることから、区画されたエリアの入口側すなわち仕切壁の延設方向の前端側においてベッドと間仕切収納装置との間に移動スペースが確保されている。また、開閉部は仕切壁の延設方向に開閉されるため、仕切壁から離れる方向すなわちベッドと間仕切収納装置との間の移動スペース方向に張り出さないことから、開閉部が開かれたことによる間仕切収納装置の左右方向への重心バランスの変化がなく、間仕切収納装置の安定性を高い状態に維持することができる。
【０００８】
前記開閉部は、前記仕切壁の延設方向に向けて引き出される引出部であることを特徴としている。
この特徴によれば、引出部は引出した際に、仕切壁から離れる方向すなわちベッドと間仕切収納装置との間の移動スペース方向に張り出さないことから、引出部の引出し代を大きくとることができ、間仕切収納装置の左右方向への重心バランスの変化に影響を与えないようにしながら、収納量を大きくとることができる。
【０００９】
前記間仕切収納装置は、前記区画されたエリアにおける各テーブル部を構成する板部材の後端部を支持する幅方向に延びる後方支持脚部と、前記板部材の前端部を支持する前記後方支持脚部より小さい幅寸法で幅方向に延びる前方支持脚部と、前記後方支持脚部と前記前方支持脚部とを連結する縦連結杆部と、を備えるフレーム部材を有し、前記収納装置は前記フレーム部材に固定されていることを特徴としている。
この特徴によれば、後方支持脚部と前方支持脚部とが幅広に構成され、床面に対して幅方向に接地していることから、収納装置の引出部の引き出しに伴い引出部の重心が間仕切収納装置の前方斜め方向へ移動した際にも間仕切収納装置の安定性への影響が少なく、間仕切収納装置の安定性が高い。
【００１０】
前記仕切壁は、該仕切壁の下方に配置された板部材の上方の空間を左右に区画し、左右の区画に前記テーブル部をそれぞれ形成していることを特徴としている。
この特徴によれば、仕切壁により板部材の上方の空間を左右に区画し、仕切壁の左右にテーブル部が構成されることから、テーブル部を一枚板の板部材で構成することができ、板部材に固定される前記フレーム部材の捻じれ方向の強度が補強され、間仕切収納装置の安定性が高い。
【００１１】
前記テーブル部は、前記収納装置の前記引出部が引き出された状態における上方に位置する部分が開放されていることを特徴としている。
この特徴によれば、テーブル部が引出部の内部へのアクセスを阻害せず、収納装置を利用し易い。
【００１２】
前記テーブル部の上方には上部収納装置が設置され、前記テーブル部は、前記収納装置の前記引出部が引き出された状態における上方に位置する部分に切欠部を備えていることを特徴としている。
この特徴によれば、テーブル部を広く確保しながら、テーブル部の下方で開閉される収納装置が利用し易いことに加え、患者や医療従事者等は切欠部内に侵入することでテーブル部の上方に設置された上部収納装置を利用し易い。
【００１３】
前記切欠部は、緩やかな曲率の湾曲形状となっていることを特徴としている。
この特徴によれば、切欠部内に侵入した患者や医療従事者等がテーブル部の側縁で怪我し難くなっている。
【図面の簡単な説明】
【００１４】
【図１】実施例おける間仕切収納装置を用いて区画されたエリアを形成した状態を示す斜視図である。
【図２】間仕切収納装置の分解斜視図である。
【図３】間仕切収納装置により部屋が区画されている様子を示す上面図である。
【図４】間仕切収納装置の上面図である。
【図５】区画されたエリアＳ２側からの側面視においてフレーム部材と下部仕切壁と下部収納装置との寸法関係を説明する図２のＡ‐Ａ断面図である。
【図６】フレーム部材と板部材と下部収納装置との配置関係を説明する上面視のイメージ図である。
【図７】変形例における板部材の形状と下部収納装置との関係を説明する上面視のイメージ図である。
【発明を実施するための形態】
【００１５】
本発明に係る間仕切収納装置を実施するための形態を実施例に基づいて以下に説明する。
【実施例】
【００１６】
実施例に係る間仕切収納装置につき、図１から図６を参照して説明する。
【００１７】
図１及び図３に示されるように、間仕切収納装置１は、主に医療施設等の室内空間を区画されたエリアＳ１と区画されたエリアＳ２とに区画する際に用いられるものである。間仕切収納装置１は、室内空間を区画する上部仕切壁２と下部仕切壁３，３’（図２参照）と、作業用のテーブル部４，４’と、上部収納装置５と下部収納装置６，６’（収納装置）とを備えている。また上部収納装置５及び下部収納装置６，６’と、上部仕切壁２及び下部仕切壁３，３’とは直交する方向に配設されており、間仕切収納装置１は上面視略Ｔ字となっている。
【００１８】
図１から図３に示されるように、間仕切収納装置１は、上部仕切壁２と下部仕切壁３，３とにより区画された区画されたエリアＳ１，Ｓ２のテーブル部４，４’を構成する板部材７がフレーム部材８により支持されている。
【００１９】
図４に示されるように、板部材７は、上面視略矩形状の後部分９と上面視略壺型に形成された前部分１０とが一体に形成された一定の厚みを有する木製の板体であり、上面視において略Ｔ字状に形成されている。後部分９は、板部材７の後端７ａと前部分１０との境界の仮想線αとの前後方向の寸法Ｄ１が、後に詳述する上部収納装置５の前後方向の寸法Ｄ２（図３参照）より若干大きくなっており、幅方向の寸法Ｗ１が上部収納装置５の幅方向の寸法Ｗ２より大きくなっており、上部収納装置５が固定された状態で後部分９の上面９ａの露出部分がテーブル部４，４’において、患者等が身の回りのものを載置しておくのに利用できる作業台４０，４０’として機能するようになっている。
【００２０】
図４に示されるように、前部分１０は後部分９に比べて幅寸法が総じて短く形成されている。前部分１０は、後部分９との境界の仮想線αから前方に向かうにつれて幅が小さくなり、所定位置で前方に向かうにつれて幅が再び大きくなる緩やかな曲率を有する湾曲形状の切欠部１１，１１’を備えている。
【００２１】
また、切欠部１１，１１’の前方は、前方に向かうにつれて一旦幅が大きくなり、所定位置で板部材７の前端７ｂに渡り漸次幅が再び小さくなる湾曲形状となっている。換言すると前部分１０の左右の側縁はそれぞれ上面視Ｓ字状及び逆Ｓ字状となっている。
【００２２】
板部材７における前部分１０の幅方向中央には、板部材７の上方（テーブル部４，４’の上面等）で利用される電子機器への配線（図示せず）を通すことができる孔７ｃ，７ｃ’が形成されている。これら孔７ｃ，７ｃ’同士は、その対向端部が上部仕切壁２の厚み寸法よりも若干大きく離間しており、配線が上部仕切壁２に干渉せず、配線を通し易くなっている。
【００２３】
図２に示されるように、フレーム部材８は、アルミ等の金属製であり、板部材７の前端部の下方に板部材７の幅方向に延びる前方支持脚部８０Ａが位置し、板部材７の後端部の下方に板部材７の幅方向に延びる後方支持脚部８０Ｂが位置しており、これら前方支持脚部８０Ａと後方支持脚部８０Ｂとは、これらの幅方向の略中央に配置される上方の縦連結杆１６Ａ及び下方の縦連結杆１６Ｂにより連結されている。
【００２４】
前方支持脚部８０Ａは、板部材７の幅方向に離間して備えられた２本の脚部１２，１２’と、これら脚部１２，１２’を上端部及び下端部でそれぞれ連結する上方の前方横連結杆１３Ａ及び下方の前方横連結杆１３Ｂを備えている。同様に後方支持脚部８０Ｂは、板部材７の幅方向に離間して備えられた２本の脚部１４，１４’と、これら脚部１４，１４’を上端部及び下端部でそれぞれ連結する上方の後方横連結杆１５Ａ及び下方の後方横連結杆１５Ｂを備えている。また、脚部１２，１２’，１４，１４’の下端にはキャスター４１，４１，４１，４１がそれぞれ固定されている。
【００２５】
図５に示されるように、上方の前方横連結杆１３Ａ及び下方の前方横連結杆１３Ｂは、断面視略矩形状である。また、図６に示されるように、連結する脚部１２，１２’の両側端部同士の幅寸法Ｄ６が板部材７の前端７ｂの幅寸法より短くなるような長手方向の寸法に形成されており、上面視において板部材７の外側に脚部１２，１２’が張り出さない構造となっている。
【００２６】
同様に図５及び図６に示されるように、上方の後方横連結杆１５Ａと下方の後方横連結杆１５Ｂは、断面視略矩形状であり、かつ連結する脚部１４，１４’の両側端部同士の幅寸法Ｄ７が板部材７の後端７ａの幅寸法より短くなるような長手方向の寸法に形成されており、上面視において板部材７の外側に脚部１４，１４’が張り出さない構造となっている。
【００２７】
図２に示されるように、上方の縦連結杆１６Ａ及び下方の縦連結杆１６Ｂは、断面視略矩形状に形成されており、上方の縦連結杆１６Ａの長手方向両端が、上方の前方横連結杆１３Ａと上方の後方横連結杆１５Ａとにそれぞれ図示しないネジ等により固定され、同様に下方の縦連結杆１６Ｂの長手方向両端が、下方の前方横連結杆１３Ｂと下方の後方横連結杆１５Ｂとにそれぞれ図示しないネジ等により固定されている。
【００２８】
上方の縦連結杆１６Ａと上方の前方横連結杆１３Ａと上方の後方横連結杆１５Ａとは、板部材７の下面に対して図示しないネジ等により固定され、板部材７とフレーム部材８とが一体となっている。また、前方支持脚部８０Ａの前端側には、エンドパネル４３が図示しないネジ等により固定されている。
【００２９】
また、図５に示されるように、上方の縦連結杆１６Ａの上面１６ａと上方の前方横連結杆１３Ａの上面１３ａと上方の後方横連結杆１５Ａの上面１５ａとは面一となっている。そのため、これら縦連結杆１６Ａの上面１６ａと前方横連結杆１３Ａの上面１３ａと後方横連結杆１５Ａの上面１５ａとが全て板部材７の下面（図示せず）に当接するため、板部材７を前後左右方向においてバランスよくフレーム部材８上に支持させることができる。尚、上方の縦連結杆１６Ａは上端が上方の前方横連結杆１３Ａの上端と上方の後方横連結杆１５Ａの上端と同じ高さであればその断面形状は断面視略矩形状に限らず、例えば断面視略円形等であってもよい。
【００３０】
図２に示されるように、下部収納装置６は、板材から成る背板２０と側板２１Ａ，２１Ｂと底板２２とがそれぞれ図示しないネジ等により固定されているとともに、背板２０と側板２１Ａ，２１Ｂとの上部に引出収納装置２３が固定されることで、引出収納装置２３の下方が前方に開口を有する収納部分６ａとして機能する箱形状となっている。
【００３１】
図２及び図４に示されるように、引出収納装置２３は、前方（上部仕切壁２及び下部仕切壁３，３’の延設方向）に引出し可能な引出部（開閉部）２３ａを備えている。また、下部収納装置６の収納部分６ａは前方からアクセス可能な収納として利用できるとともに、内部に前方に引出部を備えた冷蔵庫４２（図１参照）等を設置してもよい。尚、下部収納装置６と下部収納装置６’とは対称形状構造であるため、下部収納装置６’の構造の説明を省略する。
【００３２】
続いて、下部収納装置６，６’の支持構造について図２を用いて説明する。尚、ここでは一方の区画されたエリアＳ１側の下部収納装置６の支持構造を例に取り説明し、他方の区画されたエリアＳ２側の下部収納装置６’の支持構造については、同様の構造であるため説明を省略する。
【００３３】
下方の後方横連結杆１５Ｂの前面には前方に向けて延出する支持片１７が、下方の縦連結杆１６Ｂの後方側の側面には区画されたエリアＳ１側に向けて延出する支持片１８が、それぞれ設けられている。
【００３４】
これら支持片１７と支持片１８との上面１７ａ，１８ａに下部収納装置６の側板２１Ａの下面（図示せず）と背板２０の下面（図示せず）が載置され、図示しないネジ等により下部収納装置６はフレーム部材８に固定されている。更に、下部収納装置６の背板２０と一方の側板２１Ａは、上方の後方横連結杆１５Ａの前面１５ｂ及び上方の縦連結杆１６Ａの側面１６ｂに図示しないネジ等により固定されている。
【００３５】
また、図にて詳述しないが、下部収納装置６がフレーム部材８に固定された状態において、下部収納装置６の背板２０の上面２０ａと側板２１Ａ，２１Ｂの上面２１ａ，２１ｂとは、上方の後方横連結杆１５Ａの上面１５ａと上方の縦連結杆１６Ａの上面１６ａと面一となる。
【００３６】
図１に示されるように、フレーム部材８には、板部材７の下方の空間を区画する下部仕切壁３，３’が支持されている。続いて下部仕切壁３，３’の支持構造について図２を用いて説明する。尚、ここでは一方の区画されたエリアＳ１側の下部仕切壁３の構造並びにその支持構造を例に取り説明し、他方の区画されたエリアＳ２側の下部仕切壁３’の構造並びにその支持構造については、同様の構造であるため説明を省力する。
【００３７】
下部仕切壁３は、下部収納装置６の側板２１Ａの前方に配置され、その厚みが下部収納装置６の側板２１Ａの厚みと略同じ厚みに形成されている。また、図５に示されるように、下部仕切壁３の高さ方向の寸法Ｈ１が下部収納装置６の側板２１Ａの高さ方向の寸法Ｈ２と略同じ寸法に形成された板体である。
【００３８】
下部仕切壁３は、図示しないネジ等により上方の縦連結杆１６Ａと下方の縦連結杆１６Ｂに固定されている。
【００３９】
また、図５に示されるように、下部仕切壁３はフレーム部材８に固定された状態で、前端面３ｂが上方の前方横連結杆１３Ａの後面１３ｂに当接し、後端面３ｃが下部収納装置６の側板２１Ａの前面２１ｃに当接する前後方向の寸法Ｄ３を備えている。すなわち、下部仕切壁３の前後方向の寸法Ｄ３と下部収納装置６の側板２１Ａの前後方向の寸法Ｄ４との合計が、上方の縦連結杆１６Ａと下方の縦連結杆１６Ｂの前後方向の寸法Ｄ５と略同じ寸法であり、下部仕切壁３に加えて下部収納装置６の側板２１Ａも板部材７の下方の空間が区画する仕切壁として機能するようになっている。
【００４０】
また、下部仕切壁３の上端部には、前述の板部材７に形成された孔７ｃに対応する位置に切欠部３ｅが形成されていることから、下部仕切壁３の上端部が孔７ｃを塞ぐことがなく、配線を通し易くなっている。
【００４１】
また、図２及び図４に示されるように、板部材７の前部分１０の上面１０ａには、板部材７の上方の空間を区画する上部仕切壁２が固定されている。
【００４２】
図２に示されるように、上部仕切壁２は、前後方向に離間する支柱２５Ａ，２５Ｂと、これら支柱２５Ａ，２５Ｂ同士を前後に連結する上方の連結杆２６Ａ及び下方の連結杆２６Ｂと、これら支柱２５Ａ，２５Ｂと上方の連結杆２６Ａと下方の連結杆２６Ｂとで囲われた空間にはめ込まれて固定された仕切パネル２７と、下方の連結杆２６Ｂの下方に固定された仕切パネル２８と、を備えている。支柱２５Ａ，２５Ｂは、その下端に左右方向に突出する固定片４４，４４，…（図４参照）を備え、この固定片４４，４４，…が板部材７に図示しないネジ等により固定されることで、板部材７と一体に組み立てられる。
【００４３】
上下の仕切パネル２７と仕切パネル２８とは、略同じ厚みに形成されている。図４に示されるように、後方の支柱２５Ｂの後端２５ｂは後述する上部収納装置５の仕切板３４の前面３４ａに当接するようになっている。また、前方の支柱２５Ａの前端２５ａには、上部収納装置５の幅寸法よりも小さい幅寸法を有する板状のエンドパネル２９が固定されている。
【００４４】
上方の連結杆２６Ａと下方の連結杆２６Ｂとは、アルミ等の金属製であり、押出形成により断面形状が一定となるように杆状に形成されている。上方の連結杆２６Ａと下方の連結杆２６Ｂとは、図にて詳述しないが、区画されたエリアＳ１，Ｓ２側からアクセス可能なレール部をそれぞれ備え、このレール部にテーブル部４，４’の上方で利用される物品（卓上照明やその他備え付けの医療器具等の備品等）を取付けられるようになっている。
【００４５】
図１及び図２に示されるように、板部材７の後部分９の上面９ａ（図４参照）には、上部収納装置５が固定されている。上部収納装置５は天板３０と側板３１，３１’と背板３２（図４参照）と底板３３とを備えて箱型に形成されており、天板３０と背板３２と底板３３との幅方向の中央に側板３１，３１’と平行に前後方向に延設される仕切板３４により、幅方向に２つの部屋５０，５０’が形成されている。
【００４６】
上部収納装置５は、底板３３に形成された図示しない孔を介して板部材７の後部分９の上面９ａに図示しないネジ等により固定されている。
【００４７】
部屋５０，５０’の前方側の開口には、それぞれ開閉可能な開閉扉（開閉部）３５，３５’が取付けられている。これら開閉扉３５，３５’は、互いの対向端部に図示しないヒンジを備え、これらヒンジを支点として回動させることで上部仕切壁２の面部２ａ，２ａ’（図４参照）に向けて開操作できる開き戸構造となっている。
【００４８】
また、開閉扉３５，３５’の互いの対向端部同士は、上部仕切壁２を構成する後方の支柱２５Ｂの幅方向の寸法よりも若干大きく離間しており、開閉扉３５，３５’が開閉時に支柱２５Ｂに干渉しないようになっている。
【００４９】
図３に示されるように、テーブル部４，４’を構成する板部材７は前部分１０の幅寸法が後部分９の幅寸法より小さく形成されていることから、区画されたエリアＳ１の入口側すなわち上部仕切壁２及び下部仕切壁３，３’の延設方向の前端側においてベッドＢと間仕切収納装置１との間に移動スペースが確保されている。
【００５０】
また、板部材７は切欠部１１，１１’を備えているため、テーブル部４，４’を広く確保しながら、患者や医療従事者等は切欠部１１，１１’内に侵入することでテーブル部４，４’の上方に設置された上部収納装置５に接近でき、上部収納装置５の部屋５０，５０’をそれぞれ利用し易くなっている。特に、ベッドＢは患者の頭部側が部屋の壁Ｐ側に位置する用に配置されることが一般的であり、ベッドＢにおける壁Ｐ側に切欠部１１が配置されることで、ベッドＢへ乗り降りするスペースや、ベッドＢ上の患者と接する医療従事者の立ち位置のスペースを効率よく確保することができる。
【００５１】
また、図３及び図４に示されるように、切欠部１１，１１’は、緩やかな曲率の湾曲形状となっていることから、切欠部１１，１１’内に侵入した患者や医療従事者等が板部材７の側縁で怪我し難くなっている。更に、下部収納装置６の引出部２３ａは、引き出されていない状態で板部材７の後部分９の下方に収まる大きさに形成されており、切欠部１１，１１’内に張り出さず、患者や医療従事者等の侵入を妨げることがない。
【００５２】
また、図４に示されるように、切欠部１１は、下部収納装置６の引出部２３ａが引き出された状態における上方に位置する部分を一部開放するように形成されているため、テーブル部４を広く確保しながら、テーブル部４の下方で開閉される引出部２３ａ内にアクセスし易くなっている。尚、切欠部は下部収納装置６の引出部２３ａが引き出された状態における上方に位置する部分を全て開放するように形成されていてもよい。
【００５３】
また、下部収納装置６の引出部２３ａは上部仕切壁２及び下部仕切壁３，３’の延設方向と平行に引き出されるため、引出部２３ａが上部仕切壁２及び下部仕切壁３，３’から離れる方向すなわちベッドＢと間仕切収納装置１との間の移動スペース方向に張り出さないことから、引出部２３ａの引出し代を大きくとって収納量を大きくすることができるとともに、引出部２３ａは引き出されたことによる上部仕切壁２及び下部仕切壁３，３’からの距離が変化しないため、間仕切収納装置１の左右方向への重心バランスの変化がなく、間仕切収納装置１の安定性が高い。
【００５４】
また、間仕切収納装置１は、板部材７の後端側を支持する後方支持脚部８０Ｂと板部材７の前端側を支持する前方支持脚部８０Ａとが、ともに幅方向に離間する脚部１４，１４’及び脚部１２，１２’を備えて幅広に構成され、床面に対して幅方向に接地していることから、下部収納装置６の引出部２３ａの引き出しに伴い引出部２３ａの重心が間仕切収納装置１の前方斜め方向へ移動した際にも間仕切収納装置１の安定性への影響が少ない。
【００５５】
また、図２及び図６に示されるように、フレーム部材８は、フレーム部材８の前方支持脚部８０Ａを構成する脚部１２と後方支持脚部８０Ｂを構成する脚部１４との仮想の接線βの内側に、最大に引出した状態における引出部２３ａの重心Ｃが位置するように、前方支持脚部８０Ａと後方支持脚部８０Ｂの幅寸法及び上下の縦連結杆１６Ａ，１６Ｂの前後寸法が設計されている。仮に、最大に引出した状態における引出部の重心が仮想の接線の外側に位置する場合には、最大に引出した状態において引出部の重心が間仕切収納装置の外側に移動してしまい、間仕切収納装置の安定性が低くなってしまう虞があるが、本実施例における間仕切収納装置１は、上記したように最大に引出した状態における引出部２３ａの重心Ｃが仮想の接線βの内側に位置するため、引出部２３ａの引出し代に関わらずに間仕切収納装置１の安定性を維持することができる。
【００５６】
また、建物内の部屋や空間を仕切り、区画されたエリアＳ１，Ｓ２に分割する上部仕切壁２と下部仕切壁３，３’とが、テーブル部４，４’を構成する板部材７の上下に分離して備えられることで、テーブル部４，４’を一枚板の板部材７で構成することができる。加えて、板部材７は板部材７の前端部と後端部とに床面に起立する複数の脚部１２，１２’，１４，１４’を備えたフレーム部材８により支持されていることから、板部材７に上下方向から掛かる外力がフレーム部材８上に分散され、板部材７とフレーム部材８との固定部分に応力が集中し難く、上下方向から掛かる外力に対して高い固定強度でテーブル部４，４’を支持できる。更に、テーブル部４，４’が一枚板の板部材７で構成されていることから、フレーム部材８の捻じれ方向の強度を板部材７により補強することができ、間仕切収納装置１の安定性が高められている。
【００５７】
また、間仕切収納装置１は、床面に立設されて空間を表側と裏側で区画されたエリアＳ１，Ｓ２に区画する前後方向に延びる上部仕切壁２と下部仕切壁３，３’と、上部仕切壁２と下部仕切壁３，３’の延設方向の後端側に幅方向に延設される下部収納装置６，６’及び上部収納装置５とが、床面に自立する上面視略Ｔ字状の一体のフレーム部材８にそれぞれ固定される構造であることから、地震等による揺れに起因する間仕切収納装置１の前後方向へ傾動させるように掛かる力と左右方向へ傾動させるように掛かる力とをフレーム部材８で受けることができ、間仕切収納装置１の倒壊への耐久性に優れる。
【００５８】
また、上部収納装置５は、板部材７の後部分９の上面９ａに固定されているため、板部材７が上部収納装置５とフレーム部材８とにより上下から挟まれ、上下方向から外力が掛かった場合等における板部材７の捻じれ方向の変形を抑制することができる。
【００５９】
また、板部材７は前部分１０が後部分９に比べて幅寸法が総じて短く形成されたフレーム部材８と近似する上面視略Ｔ字状である。詳しくは、図６に示されるように、板部材７におけるテーブル部４，４’は、フレーム部材８の前方支持脚部８０Ａを構成する脚部１２と後方支持脚部８０Ｂを構成する脚部１４との仮想の接線βから外側に張り出す部分が極力小さくなっているため、テーブル部４，４’に対して上下方向から掛かる外力に対する脆弱部が小さくなっており、テーブル部４，４’の面積を広く確保しながら、外力に強い構造となっている。
【００６０】
また、間仕切収納装置１は、フレーム部材８の脚部１２，１２’と脚部１４，１４’の下端に設けられたキャスター４１，４１，４１，４１により、部屋内を移動可能となっており、例えば部屋の壁Ｐに沿って左右に移動させることで、区画されたエリアＳ１，Ｓ２の使用状況に合わせて区画されたエリアＳ１，Ｓ２の広さを適宜調整することができる。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例において、テーブル部４，４’は、フレーム部材８の上方に固定される板部材７の上方が上部仕切壁２により区画されて構成されているが、これに限らず、上部仕切壁２と下部仕切壁３，３’とを上下に一体の仕切壁とし、この仕切壁の左右両面に分割された板部材をそれぞれ固定するか、若しくは仕切壁をフレーム部材に固定させ、同様に分割された板部材をフレーム部材に対してそれぞれ固定する構成であってもよい。
【００６３】
また、間仕切収納装置１には、板部材７の上下に上部収納装置５と下部収納装置６，６’をそれぞれ備える構成に限らず、例えば、下部収納装置６，６’のみ、若しくは上部収納装置５のみ備えた構成であってもよい。更に、フレーム部材の後方支持脚部の幅寸法を上板部材の幅寸法より大としてもよく、この場合には、下部収納装置は上面視において板部材の外側に位置する構成としてもよい。
【００６４】
また、上部収納装置５は上述した開き戸構造に限らず、上部仕切壁２及び下部仕切壁３，３’の延設方向に向けて引き出される引出部を備える収納装置であってもよい。更に、下部収納装置６，６’は上述した引出部を備える構造に限らず、上部仕切壁２及び下部仕切壁３，３’の延設方向に向けて開閉される開き戸を備える収納装置であってもよい。
【００６５】
また、前記実施例において板部材７は、上面視略矩形状の後部分９と上面視略壺型に形成された前部分１０とが一体に形成された上面視形状で説明したが、板部材７の形状は前部分１０が後部分９より幅寸法が総じて小さく形成されていれば、上述した形状に限定されない。
【００６６】
また、板部材７は切欠部１１，１１’により下部収納装置６の引出部２３ａが引き出された状態における上方に位置する部分を一部開放する形状となっているが、これに限定されない。例えば図７に示される板部材７０は、前部分１００の上面視形状が後部分９０との境界の仮想線α２から前方に向かうにつれて幅が小さくなり、所定位置で前方に向けて同幅に延設される形状となっており、下部収納装置６の引出部２３ａが引き出された状態における上方に位置する部分が一部開放される構成であり、切欠部が省略されている。
【００６７】
また、前記実施例においてフレーム部材８における前方支持脚部８０Ａは、板部材７の幅方向に離間して備えられた２本の脚部１２，１２’と、これら脚部１２，１２’を上端部及び下端部でそれぞれ連結する上方の前方横連結杆１３Ａ及び下方の前方横連結杆１３Ｂを備えて構成されており、後方支持脚部８０Ｂも同様な構造となっているが、これに限らず、前方支持脚部８０Ａと後方支持脚部８０Ｂとは、幅方向に幅広に形成されていれば、その構造は限定されず、例えば幅方向に延びて床面に直立する板部材で構成されていてもよい。尚、板部材等、前記実施例と異なる構造で前方支持脚部８０Ａと後方支持脚部８０Ｂが構成される場合には、前方支持脚部８０Ａの幅方向端部と後方支持脚部８０Ｂの幅方向端部とを結ぶ仮想の接線の内側に最大に引出した状態における引出部２３ａの重心Ｃが位置するように、前方支持脚部８０Ａと後方支持脚部８０Ｂの幅寸法及び上下の縦連結杆１６Ａ，１６Ｂの前後寸法が設計されることになる。
【００６８】
また、板部材７を支持する構造としては前記実施例に示されるフレーム部材８を用いた構成に限らず、例えば板部材の前部分と後部分を支持する前方支持脚部と後方支持脚部とは縦連結杆により連結されない独立構造であってもよい。
【００６９】
また、間仕切収納装置１は、フレーム部材８の脚部１２，１２’と脚部１４，１４’の下端に設けられたキャスター４１，４１，４１，４１により、部屋内を移動可能とした構造に限らず、キャスターを省略して床に直置きされる態様で使用されてもよい。
【００７０】
また、間仕切収納装置１は、医療施設等の室内空間を区画する際に用いられるものに限らず、例えば老人福祉施設等の大部屋を有する施設にて利用されてもよい。
【符号の説明】
【００７１】
１                間仕切収納装置
２                上部仕切壁（仕切壁）
２ａ，２ａ        面部
３，３’          下部仕切壁（仕切壁）
４，４’          テーブル部
５                上部収納装置
６，６’          下部収納装置（収納装置）
７                板部材
７ａ              板部材後端
７ｂ              板部材前端
８                フレーム部材
９                後部分
１０              前部分
１１，１１’      切欠部
１２，１２’      脚部
１４，１４’      脚部
１６Ａ，１６Ｂ    縦連結杆
１７              支持片
１８              支持片
２１Ａ，２１Ｂ    側板
２２              底板
２３              引出収納装置
２３ａ            引出部（開閉部）
２９              エンドパネル
３４              仕切板
３５              開閉扉（開閉部）
４０，４０        作業台
８０Ａ            前方支持脚部
８０Ｂ            後方支持脚部
Ｃ                重心
Ｓ１，Ｓ２        区画されたエリア
α                仮想線
β                接線
【図１】
2018122051.tif 000003
【図２】
2018122051.tif 000004
【図３】
2018122051.tif 000005
【図４】
2018122051.tif 000006
【図５】
2018122051.tif 000007
【図６】
2018122051.tif 000008
【図７】
2018122051.tif 000009